【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
動作電圧を表わす複数の指示信号と出力データに従属的な第１ソーシング制御信号とを生成する段階と、
前記複数の指示信号に従属的な第２ソーシング制御信号を生成させる段階と、
前記第１ソーシング制御信号と前記第２ソーシング制御信号とに応答し、前記動作電圧を出力端子に供給する段階と、
を含むことを特徴とする出力バッファ回路の動作方法。
【請求項２】
前記複数の指示信号のそれぞれと前記出力データとは、レベルシフターによってレベルシフトされた信号であることを特徴とする請求項１に記載の出力バッファ回路の動作方法。
【請求項３】
前記第１ソーシング制御信号は、前記動作電圧と基準電圧との間でスイングし、前記基準電圧は、前記複数の指示信号のデコーディング（ｄｅｃｏｄｉｎｇ）により生成された複数の選択信号に基づいて複数の内部電圧のうちから選択されたいずれか１つであることを特徴とする請求項１に記載の出力バッファ回路の動作方法。
【請求項４】
前記第１ソーシング制御信号を生成させる段階は、
前記複数の指示信号をデコードし、複数の選択信号を生成させる段階と、
前記複数の指示信号のうちのいずれか１つと前記複数の選択信号とに基づいて複数の内部電圧のうちのいずれか１つを基準電圧とし出力する段階と、
前記複数の指示信号のうちのいずれか１つ、前記基準電圧、及び前記出力データに基づいて前記動作電圧と前記基準電圧との間でスイングする前記第１ソーシング制御信号を生成させる段階と、
を含むことを特徴とする請求項１に記載の出力バッファ回路の動作方法。
【請求項５】
前記第２ソーシング制御信号を生成させる段階は、
前記複数の指示信号をデコーディングし生成された複数の選択信号と前記複数の指示信号とのうちのいずれか１つによって、複数の内部電圧のうちのいずれか１つを前記第２ソーシング制御信号として生成することを特徴とする請求項１に記載の出力バッファ回路の動作方法。
【請求項６】
前記複数の指示信号のデコーディングにより生成された複数の選択信号のうちのいずれか１つと前記出力データとに基づいてシンキング制御信号を生成させる段階と、
前記シンキング制御信号に応答し、接地電圧を前記出力端子に供給する段階と、
をさらに含むことを特徴とする請求項１に記載の出力バッファ回路の動作方法。
【請求項７】
前記シンキング制御信号を生成させる段階は、
前記複数の選択信号のうちのいずれか１つに基づいて互いに相補的な複数の制御信号を生成させる段階と、
前記相補的な複数の制御信号により前記出力データを前記シンキング制御信号として出力する段階と、
を含むことを特徴とする請求項６に記載の出力バッファ回路の動作方法。
【請求項８】
第１電圧のＤＣレベルを表わす複数の指示信号と、出力データに従属的な第１ソーシング制御信号と、前記複数の指示信号に従属的な第２ソーシング制御信号とを生成させるソーシング制御回路と、
前記第１ソーシング制御信号と前記第２ソーシング制御信号とに応答し、前記第１電圧を出力端子に供給するソーシング回路と、
を備えることを特徴とする出力バッファ回路。
【請求項９】
前記ソーシング制御回路は、前記複数の指示信号のうちのいずれか１つと前記複数の指示信号のデコーディングにより生成された複数の選択信号とに基づいて複数の内部電圧のうちのいずれか１つを基準電圧として生成し、前記第１電圧と前記基準電圧とによって決定されたスイング範囲を有する前記第１ソーシング制御信号を生成させることを特徴とする請求項８に記載の出力バッファ回路。
【請求項１０】
前記ソーシング制御回路は、前記複数の指示信号のうちいずれか１つと前記複数の指示信号のデコーディングの結果として生成された複数の選択信号によって、複数の内部電圧のうちいずれか１つを前記第２ソーシング制御信号として生成することを特徴とする請求項８に記載の出力バッファ回路。
【請求項１１】
前記ソーシング制御回路は、
前記複数の指示信号をデコードし複数の選択信号を出力するデコーディング回路と、
前記複数の指示信号のうちの第１指示信号と前記複数の選択信号とに基づいて複数の第１内部電圧のうちのいずれか１つを基準電圧として出力する基準電圧生成回路と、
前記出力データと前記第１指示信号と前記基準電圧により決定されたスイング範囲を有する前記第１ソーシング制御信号を生成させる第１制御信号生成回路と、
前記第１指示信号と前記複数の選択信号とによって、複数の第２内部電圧のうちのいずれか１つを前記第２ソーシング制御信号として生成する第２制御信号生成回路と、
を備えることを特徴とする請求項８に記載の出力バッファ回路。
【請求項１２】
前記デコーディング回路は、
前記第１指示信号と前記複数の指示信号のうちの第２指示信号とに応答し、前記複数の選択信号に含まれ、互いに相補的な複数の第１選択信号を生成させる第１選択信号生成回路と、
反転された前記第１指示信号と前記第２指示信号とに応答し、前記複数の選択信号に含まれ、互いに相補的な複数の第２選択信号を生成させる第２選択信号生成回路と、
を備えることを特徴とする請求項１１に記載の出力バッファ回路。
【請求項１３】
前記第１制御信号生成回路は、前記第１電圧と前記基準電圧との間でスイングする前記第１ソーシング制御信号を出力することを特徴とする請求項１１に記載の出力バッファ回路。
【請求項１４】
前記第１制御信号生成回路は、前記基準電圧と前記基準電圧とに応答して動作するＭＯＳトランジスタのスレショルド電圧の和と前記第１電圧との間でスイングする前記第１ソーシング制御信号を生成させることを特徴とする請求項１１に記載の出力バッファ回路。
【請求項１５】
前記ソーシング回路が、前記第１ソーシング制御信号、前記第２ソーシング制御信号、及び第３ソーシング制御信号に応答し、前記第１電圧を前記出力端子に供給するとき、前記ソーシング制御回路は、前記複数の指示信号に基づいて前記第３ソーシング制御信号をさらに生成させることを特徴とする請求項８に記載の出力バッファ回路。
【請求項１６】
前記ソーシング制御回路は、
前記複数の指示信号をデコードして複数の選択信号を出力するデコーディング回路と、
前記複数の指示信号のうちの第１指示信号と前記複数の選択信号とに基づいて複数の第１内部電圧のうちのいずれか１つを基準電圧として出力する基準電圧生成回路と、
前記出力データ、前記第１指示信号、及び前記基準電圧に基づいて決定されたスイング範囲を有する前記第１ソーシング制御信号を生成させる第１制御信号生成回路と、
前記第１指示信号と前記複数の選択信号とに基づいて複数の第２内部電圧のうちのいずれか１つを前記第２ソーシング制御信号として生成する第２制御信号生成回路と、
前記第１指示信号と前記複数の選択信号とに基づいて前記第２ソーシング制御信号と同じ前記第３ソーシング制御信号を生成させる第３制御信号生成回路と、
を備えることを特徴とする請求項１５に記載の出力バッファ回路。
【請求項１７】
前記出力データに応答し、接地電圧を前記出力端子に供給する第１シンキング回路と、
シンキング制御信号に応答し、前記接地電圧を前記出力端子に供給する第２シンキング回路と、
前記複数の指示信号のデコーディングによって生成された複数の選択信号のうちのいずれか１つと前記出力データとに基づいて前記シンキング制御信号を生成させるシンキング制御回路と、
をさらに備えることを特徴とする請求項８に記載の出力バッファ回路。
【請求項１８】
前記シンキング制御回路は、
前記複数の選択信号のうちのいずれか１つに基づいて互いに相補的な複数の制御信号を生成させる制御信号生成回路と、
前記相補的な複数の制御信号に基づいて前記出力データを前記シンキング制御信号とし出力するシンキング制御信号生成回路と、
を備えることを特徴とする請求項１７に記載の出力バッファ回路。
【請求項１９】
コアロジック回路と、
前記コアロジック回路から出力された出力データをバッファリングするための出力バッファ回路と、
を備え、
前記出力バッファ回路は、動作電圧のＤＣレベルを表わす複数の指示信号と前記出力データとに基づいて前記動作電圧と基準電圧とに従属的なスイング範囲を有する第１ソーシング制御信号を生成させ、前記複数の指示信号に従属的な第２ソーシング制御信号を生成させるソーシング制御回路と、前記第１ソーシング制御信号と前記第２ソーシング制御信号とに応答し前記動作電圧を出力端子に供給するソーシング回路と、を含むことを特徴とするシステムオンチップ。
【請求項２０】
前記ソーシング制御回路は、
前記複数の指示信号のうちのいずれか１つの指示信号と前記複数の指示信号のデコーディングの結果として生成された複数の選択信号とに基づいて複数の第１内部電圧のうちのいずれか１つを前記基準電圧として生成し、前記いずれか１つの選択信号と前記複数の選択信号とに基づいて複数の第２内部電圧のうちのいずれか１つを前記第２ソーシング制御信号として生成する請求項１９に記載のシステムオンチップ。
【請求項２１】
前記出力データに基づいて接地電圧を前記出力端子に供給する第１シンキング回路と、
シンキング制御信号に基づいて前記接地電圧を前記出力端子に供給する第２シンキング回路と、
前記複数の指示信号のうちのいずれか１つと前記出力データとに基づいて前記シンキング制御信号を生成させるシンキング制御信号生成回路と、
をさらに備えることを特徴とする請求項１９に記載のシステムオンチップ。
【請求項２２】
前記複数の指示信号を受信するための複数のパッドをさらに備えることを特徴とする請求項１９に記載のシステムオンチップ。
【請求項２３】
前記複数の指示信号と前記出力データは、前記コアロジック回路から出力されることを特徴とする請求項１９に記載のシステムオンチップ。
【請求項２４】
前記ＤＣレベルを検出し前記複数の指示信号を生成するためレベル検出回路をさらに備えることを特徴とする請求項１９に記載のシステムオンチップ。